Podtech/llm-jp-corpus-v4-ja_patent huggingface dataset:
(57)【要約】      （修正有）【課題】紙をワンタッチで安定保持することが可能でり、薄型かつ軽量で簡易な方法で製造することができ、更に意匠性に優れたワンタッチ式紙挟みを提供する。【解決手段】形状保持性に優れ弾性の性質を持つフイルム状の湾曲素材、挟持シート１は適宜な固定部材により挟持シート１の外側からあるいは内側より対象物４に直接固定され、挟持シート１の弾性力を利用して挟み込まれた紙等を固定し、対象物４との隙間に安定保持させることが可能なワンタッチ式紙挟み。【選択図】図２
2013010231.tif 000002
【特許請求の範囲】
【請求項１】
形状保持性に優れ弾性の性質を持つフイルム状の湾曲素材、挟持シートは直接対象物に固定されその隙間に紙等を挟み込むことを特徴とするワンタッチ式紙挟み。
【請求項２】
前記挟持シートを対象物に固定する手段として、挟持シートの表面から対象物に対して、磁石、固定ピン等で押圧固定され、挟持シートの裏面からは両面テープ、接着剤等で固定されることを特徴とする、請求項１記載のワンタッチ式紙挟み。
【請求項３】
挟持シート及び対象物に紙等を円滑に挟み込ませるために挟持シート外周に折り曲げ突起部を有することを特徴とする、請求項１乃至請求項２記載のワンタッチ式紙挟み。
【発明の詳細な説明】
【技術分野】
【０００１】
この発明は紙等を一時的に保持し、あるいは留めておくことのできるワンタッチ式の紙挟みに関する。          
【背景技術】
【０００２】
従来、種々のこの種の紙挟みは提案され、また改良が行なわれた事は周知である。近年形状も多数発表されている。  
【先行技術文献】
【特許文献】
【０００３】
【特許文献１】特開２０１０−２７４５２１このため、挟持方式の提案例も開示されている。例えば特開２０１０−２７４５２１公報には、紙のグリップが開示されている。同公報に開示されるそれは、紙の挟持部をベース部材、上部部材の構成で製作されている。なお上記グリップは、本体部材の取り付けに当たり磁石を使用している。
【発明の概要】
【発明が解決しようとする課題】
【０００４】
しかし、上記のグリップは次のような問題点があった。
【０００５】
第一に、本体部材取り付けに磁石を使用するために、磁石に反応しない対象物の材質に問題がおこる。
【０００６】
第二に、本体の構成として磁石収納ケーシング、突起体収納ケーシングが必要になる。それに伴い、本体の厚さも重量も増しなお構造も複雑になり、製造コストも膨大なものになる。
【０００７】
第三に、本体と対象物との隙間に紙が直接挟み込む構造にないので紙と対象物との間に段差が生じ紙の差し込みに対して極めて使いにくい。
【０００８】
第四に、挟持する紙に対して、本体が余りにも無骨なデザインであり、挟持前の整列感や、挟持後の外観を美しく保つことができない。
【０００９】
本発明の目的は、第一に、本発明の挟持シート本体が薄型軽量でありその構造上、簡易な方法で短時間に円滑に且つ大量に製造することができる。第二に、対象物に磁石、固定ピン、両面テープ、接着剤が使用できる環境であれば本発明の挟持シートが取り付け可能である。第三に、紙等の挟持される環境も鑑み、本発明の意匠を有する挟持シートにより、挟持後の目的とともにその外観を美しく保てることができる。従来の欠点を改良したワンタッチ式紙挟みを提供することにある。
【課題を解決するための手段】
【００１０】
以上の課題を解決するために本発明のワンタッチ式紙挟みは、形状保持性に優れ弾性の性質を持つフイルム状の湾曲素材、挟持シートは直接対象物に固定されその隙間に紙等を挟み込む構成とすることを特徴とする。
【００１１】
また、上記挟持シートを対象物に固定する手段として、上記挟持シートの表面から対象物に対して、磁石、固定ピン等で押圧固定される構成とし、さらに上記挟持シートの裏面からは両面テープ、接着剤等で固定する構成とすることを特徴とする。
【００１２】
さらに、上記挟持シート及び対象物に紙等をスムーズに挟み込ませるために挟持シート外周に折り曲げ突起部を有する構成とすることを特徴とする。
【発明の効果】
【００１３】
本発明は、以上説明した様な形態で実施され、以下に記載される効果を得る。薄型のフイルム状のシートを使用する簡単な構造のため薄型軽量である。挟持シート固定にピン、画鋲、磁石、両面テープ等適宜使用でき、また任意にハサミ等で自由な大きさ及び形を変え製作することができる。
【図面の簡単な説明】
【００１４】
【図１】本発明の一実施例によるワンタッチ式紙挟みの斜視図。
【図２】図１のワンタッチ式紙挟みに対象物を固定した正面図。
【図３】図１のＡ−Ａ線断面図。
【図４】図１のワンタッチ式紙挟みに対象物を固定した状態のＡ−Ａ線断面図。
【発明を実施するための形態】
【００１５】
以下図に沿って本発明のワンタッチ式紙挟みの実施例を説明する。
【実施例】
【００１６】
本発明のワンタッチ式紙挟みは、適宜の大きさの挟持シート１として保持する紙等の対象物４の大小に対してその重量に耐えるように挟持シート１の大きさを拡大していく実施例がある。      
また大小の挟持シート１を二枚重ねし対象物４に固定し、ボリウムのある挟持ができる実施例がある。
図には示していないが透明な挟持シート１の裏面に表面から確認できるように色彩や転写の意匠を施すことにより挟持前の整列感や、挟持後の美観を保つ実施例がある。
挟持シート１の壁面以外の使用例としては家計簿におけるノートの裏に一時的な領収書の収納に挟持シート１を使用する実施例がある。
挟持シート１に表面において、磁石で押圧固定し冷蔵庫等の金属に対しても固定挟持する実施例がある。
固定ピンが使用できる壁面において固定されその延長上に物を吊り下げる突起体も有することができる構造の実施例がある。
挟持シート１を固定する対象物として家の柱  石膏ボード  サイドボードのガラス戸  カレンダー  乗用車のダッシュボード等に固定する実施例がある。
【産業上の利用可能性】
【００１７】
本発明による挟持シートは文具品として、その他多種多様な場所場面で利用できる。
【符号の説明】
【００１８】
１  挟持シート。
２  固定部位。
３  折り曲げ突起部。
４  対象物。
【図１】
2013010231.tif 000003
【図２】
2013010231.tif 000004
【図３】
2013010231.tif 000005
【図４】
2013010231.tif 000006
(57)【要約】      （修正有）【課題】この考案は最近買った自分のマウンテンバイクに４．５kgの規定圧力の空気を如何に確実に入れることが出来るかを考えたもので、それに必要な道具を提供する。【解決手段】自転車のエアーバルブに考案のアタッチメントを着けることにより、ガソリンスタンドの圧力設定装置つき車用エアーポンプのコネクタと接続することができるようする。車用のエアーポンプを使用することにより自転車のタイヤに簡単に規定圧力の空気を入れることができる。【選択図】図２
2013010369.tif 000002
【特許請求の範囲】
【請求項１】
マウンテンバイクやロードレーサー等の高圧で一定した圧力の空気を必要とする自転車のタイヤに圧力設定装置つきの車用エアーポンプから直接に高圧の空気を自転車に入れるときに使う取外し可能の自転車のエアーバルブ用アタッチメントを提案する
【発明の詳細な説明】
【技術分野】
【０００１】
本発明は規定の高圧の空気が必要な自転車（マウンテンバイク、ロードバイク）のタイヤに、容易に規定の高圧の空気を入れる
【背景技術】
【０００２】
一年前にガソリン代が大幅に上がったのをきっかけに、電動アシスト式のマウンテンバイクを買って乗り始めました、２,３ヶ月乗ったところで空気圧が下がり、手持ちの自転車用空気入れで普通に空気を入れ、タイヤを親指で押さえて圧力を確認して乗っていると、自転車のぺタルが重くて、電池の消費が増え、一回の充電で少ない距離しか走れなくなりました、疑問に思い、自転車屋さんに相談すると、タイヤの側面に表示された空気圧を守ってください。指定された圧力の空気を入れるためには、圧力計付きの特殊な空気入れが必要でした、そこで圧力計付きの特殊な空気入れを買わなくて良い方法を考えて、思いついたのが本発明です、タイヤ内部の空気圧を計るとき、空気圧の取り出し口が無く、タイヤを直接外部から圧力を掛けて測定するしかなかった自転車の空気圧の設定を注入時に圧力設定した空気を注入することにより解決する
【発明の概要】
【発明が解決しようとする課題】
【０００３】
この発明はタイヤの側面に表示された空気圧、マウンテンバイクは４．５ｋｇ、ロードレーサーは９ｋｇの、指定された圧力の空気を入れるためには、圧力計付きの特殊な空気入れが必要でした、そこで圧力計付きの特殊な空気入れを買わなくて良い方法を考えて、思いついた、自分のマウンテンバイクに4kgの規定圧力の空気を如何に確実に入れることが出来るかを考え必要な道具を考えた、方法としてガソリンスタンドの圧力設定装置つき車用エアーポンプのコネクタで自転車のタイヤに直接空気を入れる方法を考えた
【課題を解決するための手段】
【０００４】
そして本発明は上記目的を達成するために自転車のエアーバルブに発明のアタッチメントを装着することにより、ガソリンスタンドの圧力設定装置つき車用エアーポンプのコネクタで自転車のタイヤに直接空気を入れる
【発明の効果】
【０００５】
自転車のエアーバルブに考案のアタッチメントを着けることにより、圧力設定機構の付いた車用エアーポンプのコネクタと直接繋げることが出来、他方簡単に当該アタッチメントを外すことで従来型の自転車用エアーポンプのコネクタからも空気を入れる、この自転車のエアーバルブ用アタッチメントを使うと特製の圧力計の付いた自転車用のエアーポンプを持っていなくても簡単に規定圧力の空気を車用エアーポンプのコネクタから自転車に入れることが出来る。一般の自転車店にあるエアーコンプレッサーに圧力設定装置を付ければマウンテンバイク（子供用も含む）やロードレーサーのオーナーが頻繁に空気を入れに来て相互にコミュニケーションもとれ自転車販売、修理の一助になる  
【図面の簡単な説明】
【０００６】
【図１】本発明を含む全体図
【図２】車用エアーポンプを使用した図
【発明を実施するための最良の形態】
【０００７】
以下本発明の実施の形態を図１，２に基づいて説明する
【０００８】
図１により従来の自転車用エアーポンプのコネクタから空気を入れるE：自転車用エアーポンプのコネクタ、G：自転車のエアーバルブ本体を使用
【０００９】
図２により車用エアーポンプのコネクタから自転車に入れる、A：車用エアーポンプのコネクタ、C：自転車のエアーバルブ用アタッチメント  、G；自転車のエアーバルブ本体
【００１０】
このアタッチメントは小型軽量なので常に自転車のエアーバルブに取り着け、必要なときに圧力設定できる車用エアーポンプのコネクタを使用し、従来型の自転車用エアーポンプのコネクタからは、アタッチメントを外して空気を入れる
【符号の説明】
【００１１】
A：車用エアーポンプのコネクタ
B；車用エアーポンプのコネクタを開放するための金属線
C：自転車のエアーバルブ用アタッチメント本体（内螺旋つき）
D：自転車のエアーバルブ用アタッチメントのキャップ
E：自転車用エアーポンプのコネクタ
F  自転車車用エアーポンプのコネクタの結合部分
G  自転車のエアーバルブ本体
【図１】
2013010369.tif 000003
【図２】
2013010369.tif 000004
(57)【要約】【課題】  従来、写真や絵、ポスター等を壁に貼り付けるさい、画ビョウ、両面接着テープ等を使用するが、掲示物自体に損傷や汚れを与え、画ビョウの頭が露出するため景観も悪くなり、また、掲示物の交換に手間をとっていたので、それらの課題を解決するためにビョウ付きファイルを提供する。【解決手段】  三角シート（３）に画ビョウ（２）を刺しこんだものをファイル（１）の背面裏の角部に接合したもので、ビョウの針で壁に固定し、ファイルに直接掲示物を出し入れすることができることが特徴とするビョウ付きファイル。【選択図】図１
2013010338.tif 000002
【特許請求の範囲】
【請求項１】
矩形の袋ファイル（１）の表面部（１ａ）を透明な素材にし、裏面部（１ｂ）を不透明の素材にし、袋ファイル（１）の角部に三角シート（３）を設け、画びょう（２）で取り付けることを特徴としたビョウ付きファイル。
【請求項２】
三角袋ファイル（４）の表面部（４ａ）を透明の素材にし、裏面部（４ｂ）を不透明の素材にし、を設け、画びょう（２）で取り付けた請求項１のビョウ付きファイル。
【発明の詳細な説明】
【技術分野】
【０００１】  この発明は、写真や絵、ポスター等を壁に張り付けるさい、画ビョウや両面接着で、掲示物体に損傷や汚れを与えることもなく、画ビョウの頭の露出より室内の景も悪くせず、また、掲示物の交換も容易にできるように工夫したビョウ付きファイルに関するものである。
【背景技術】
【０００２】  従来、壁面に写真や絵、ポスター等を掲示するさい、画ビョウや押しピン、両面接着テープを使用するものでした。
【先行技術文献】
【０００３】
【特許文献１】  特開９−５２４８５号公報
【特許文献２】  特開１１−３２７４７７号公報
【発明の概要】
【発明が解決しようとする課題】
【０００４】  壁面に写真や絵、ポスター等の掲示物を貼るさい、画ビョウ、押しピン、両面テープな使用する。
そのため、次のような問題点があった。
（イ）押しピン、画ビョウ、両面接着テープを使用すると、作品に傷をつけることになる。
（ロ）掲示物の交換にさいして、新しい画ビョウや押しピンや両面接着テープをさしかえなければならず、手間もかかる。
（ハ）画ビョウの頭が壁に露出するため、室内の景観を損ねる。
（ニ）掲示物を屋外に掲示するさい、風や雨や湿気により作品を傷めることになる。
本発明は、これらの問題点を解決するためになされたものである。
【課題を解決するための手段】
【０００５】  三角シート（３）に画ビョウ（２）を刺しこんだものをファイル（１）の背面裏の角部に接合したもので、ビョウの針で壁に固定し、ファイルに直接掲示物を出し入れすることができるものである。
以上を特徴とするビョウ付きファイルである。
【発明の効果】
【０００６】（イ）画ビョウや両面接着テープを使用したときのような掲示物への損傷がない。
（ロ）ファイルからの出し入れのため掲示物の張替えが、きわめて容易である。
（ハ）画ビョウの頭は、ファイルの背面に隠れるため、室内の景観も損なわない。
（ニ）画ビョウ付きファイルであるため、屋外での風や雨や湿気により掲示物を傷めることがない。
（ホ）画ビョウ付き三角袋ファイルを使用することにより、掲示物の大きさに関係なく対応できる。
【図面の簡単な説明】
【０００７】
【図１】  本発明のビョウ付きファイルを壁に固定する正面図である。
【図２】  本発明の袋ファイルの斜視図である。
【図３】  本発明の材料同士を接合する説明を示した斜視図である。
【図４】  本発明のビョウ付きファイルを壁に固定した真横から見た説明図である。
【図５】  本発明の改良案となる材料と接合する状態を示した説明図である。
【図６】  本発明の改良した状態を示した正面図である。
【発明を実施するための形態】
【０００８】  以下、本発明の実施の形態について説明する。
図１に、本発明のビョウ付きファイルの具体例の正面図を示す。
図３に示す、三角シート（３）と画ビョウ（２）を組み合わせたものと、袋ファイル（１）から構成されたものである。
袋ファイル（１）の、表面部（１ａ）は透明の素材とし、裏面部（１ｂ）は不透明の素材として図３に示すように、三角シート（３）の中央に、画ビョウ（２）を差し込んだものを袋ファイル（１）の裏面部（１ｂ）の裏の角部に接合し、図４に示す、画ビョウの針を壁面に刺して固定する。
裏面部（１ｂ）が不透明なため壁の模様や色調と画ビョウの頭を隠す働きをする、図１に示すように掲示物を挿入する。
ファイルの形状は、従来形でもよいが、子供が喜ぶような型にしてもよいし、模様をつけてもよい。
なお、図５に示す三角袋ファイル（４）の表面部（４ａ）は透明の素材とし、裏面部（４ｂ）は不透明な素材とし、図３に示す画びょう（２）と三角シート（３）を組み合わせたものを三角袋ファイル（４）の裏面の角部に接合する。
それを４つ用いて、掲示物の大きさの四隅に合わせて壁面に固定することにより、図６に示すよう掲示物の大きさに関係なく対応することができる。
【符号の説明】
【０００９】１    袋ファイル
１ａ  表面部
１ｂ  裏面部
２    画びょう
３    三角シート
４    三角袋ファイル
４ａ  表面部
４ｂ  裏面部
【図１】
2013010338.tif 000003
【図２】
2013010338.tif 000004
【図３】
2013010338.tif 000005
【図４】
2013010338.tif 000006
【図５】
2013010338.tif 000007
【図６】
2013010338.tif 000008
(57)【要約】【課題】  環境に悪影響を与える恐れのある界面活性剤などを使用しないで、一定時間水に溶けずに、溶けて欲しいときに、すぐに水に溶ける紙状のものは無い。  本発明は、これらの問題点を解決した水溶紙を提供する。【解決手段】  水溶紙の片面に、水溶性接着剤などで、オブラートを貼り付ける。溶けない時間は、オブラートの厚さや枚数などで調整することを特徴とする片面オブラートの水溶紙。【選択図】図１
2013010336.tif 000002
【特許請求の範囲】
【請求項１】
水溶紙の片面に、オブラートを貼り付けた、片面オブラートの水溶紙。
【発明の詳細な説明】
【技術分野】
【０００１】  本発明は、一方の面を水に濡らした時に、所定の時間で水に溶けて、反対の面を水に濡らした時は、瞬時に水に溶ける、片面オブラートの水溶紙に関するものである。
【背景技術】
【０００２】  水に溶ける紙状の材料として、水溶紙やオブラートは、一般に販売されており、誰でも購入できる。水溶紙などの水溶性材料に界面活性剤で処理しワックスコーテイングを施したものや、オブラート状の水溶性シートに樹脂コーティングをしたものが知られている（特許文献１、特許文献２参照）。
【先行技術文献】
【０００３】
【特許文献１】特開２００８−６３７１９号公報
【特許文献２】特開２００２−６５８６３号公報
【発明の概要】
【発明が解決しようとする課題】
【０００４】  環境に悪影響を与える恐れのある界面活性剤などを使用しないで、一定時間水に溶けずに、溶けて欲しいときに、すぐに水に溶ける紙状のものは無い。
本発明は、以上の問題点を解決するためになされたものである。
【課題を解決するための手段】
【０００５】  水溶紙の片面に、水溶性接着剤で、オブラートを貼り付ける。溶けない時間は、オブラートの厚さや枚数などで調整する。
以上の構成よりなる片面オブラートの水溶紙。
【発明の効果】
【０００６】  環境に悪影響を与える恐れのある界面活性剤などを使用しないで、一定時間水に溶けずに、溶けて欲しいときに、すぐに水に溶ける環境にやさしい水溶紙を提供できる。
本発明は、一定時間、水などの飛散を防護し、使用後は全体を水に浸すことによって水に溶け、下水道などに廃棄可能になる。
【図面の簡単な説明】
【０００７】
【図１】本発明の断面図
【図２】本発明を漏斗の材料として使用状態を示す斜視図
【発明を実施するための形態】
【０００８】  以下、本発明である、片面オブラートの水溶紙（１）の実施の形態を説明する。
（イ）水溶紙（２）の片面に、水溶性接着剤（３）などで、オブラート（４）を貼り付け      る。
（ロ）使用時に、水溶紙（２）の端部が濡れて溶けないように、オブラート（４）面を水      溶紙（２）面側に折り曲げ（６）たり、裏面の端部にもオブラート（４）を貼り付      けたりして防護する。
本発明は以上のような構造である。
本発明を漏斗（５）などの材料として使用するときは、オブラート（４）面を、水などの飛散防止面として使い、使用後は、水溶紙（２）面を水に浸して溶解させ、下水道などに処分できる。
【符号の説明】
【０００９】  １片面オブラートの水溶紙、２水溶紙、３水溶性接着剤、４オブラート、５漏斗、６折り曲げ
【図１】
2013010336.tif 000003
【図２】
2013010336.tif 000004
(57)【要約】      （修正有）【課題】耳の内面を傷付けずに耳垢を除去する耳垢除去具を提供する。【解決手段】ポリプロピレン、あるいは合成樹脂の静電気の自然発生しやすい素材で筒体の開口部をラッパ状にフレアー加工形成した。【選択図】図１
2013132547.tif 000002
【特許請求の範囲】
【請求項１】
ポリプロピレン、あるいは合成樹脂製の円筒状の筒体の両側の開口部をラッパ状にフレアー加工形成したことを特徴とする耳垢除去具。
【請求項２】
前記開口部の内周面に自然発生した静電気により耳垢を筒体内に付着させ収納できることを特徴とする請求項１の耳垢除去具。
【発明の詳細な説明】
【技術分野】
【０００１】本発明は耳の内側に挿入し擦りだし、ポリプロピレン、あるいは合成樹脂製の円筒状の筒体の両側の開口部をラッパ状にフレアー加工形成し、耳垢を除去する耳垢除去具に関するものである。
【背景技術】
【０００２】従来、竹、あるいはプラスチック製の耳かきで耳垢を除去するのが一般的であった。
【先行技術文献】
【特許文献】
【０００３】
【特許文献１】  特開９−１５４７６０
【発明の概要】
【発明が解決しようとする課題】
【０００４】この従来の耳かきによれば、時として耳の内面を傷つけたりすることがあった。
そのため、綿棒も使用されるが傷は付かないが必ずしも耳垢をすっきり除去することができない。
本発明はこれらの問題点を解消して、耳の内面を傷付けずに耳垢を除去する使い捨ての安全な耳垢除去具を提供することを目的とする。
【課題を解決するための手段】
【０００５】本発明は上記の目的を達成すべく、ポリプロピレン、あるいは合成樹脂の静電気の自然発生しやすい素材で、円筒状の両開口部をラッパ状にフレアー加工形成したことを特徴とする。
以上のように構成された耳垢除去具である。
【発明の効果】
【０００６】このように本発明によると円筒状の筒体の両開口部をラッパ状に形成し、筒状態の開口部を耳孔に挿入して、開口部のラッパ状の縁部により耳垢を除去するようにしたので、耳の内面を傷付けずに安全に耳垢を除去できる。
また、細かい耳垢が自然発生した静電気によって筒体内に収納されて衛生的である。
【図面の簡単な説明】
【０００７】
【図１】本発明の第１実施の形態の斜視図である。
【発明を実施するための形態】
【０００８】本発明の第１実施の形態を図１により説明する。
１は円筒状の筒体を示し、筒体１はポリプロピレン、あるいは合成樹脂製で、たとえばストローの製造工程を利用して形成している。
２は前記筒体の開口部を示し、ストロー状の筒体の開口部に突起回転体、あるいは突起物を数秒間押し当てて、ラッパ状にフレアー加工形成すると、耳の内側に挿入するのに大きさが好適である。
３は前記筒体１の頂点部を示す。
２と同じように加工形成し、両開口部で同じ機能を有する。
つぎに、この第一実施の形態の使い方を説明する。
円筒状の中間部１を指で持ちゆっくり耳の内側に挿入し、外側に掻き出すと、開口部２のラッパ状の縁部で耳垢が耳の内面より掻き取られて、その耳垢は開口部２により自然発生した静電気により筒体１の内側に付着し、細かい耳垢も残さず除去することができ、耳垢が散乱しない。
このようにして耳の内面を傷つけずに安全に清潔に耳垢を除去することができる。
そして、開口部３により反対側の耳の内面も同様に耳垢を除去することができる。
【符号の説明】
【０００９】  １  筒体
２  開口部
３  開口部
【図１】
2013132547.tif 000003
(57)【要約】【課題】ベッドを使用していないときに上掛け毛布などをそのままにしておくことは美観上も衛生上も好ましいことではなかった。そこで本発明は、マットレスの下部に設けたスペースに上掛け毛布などを移動させて、押し入れなどに収納する労力を軽減する効果を狙ったものである。【解決手段】上掛け毛布などの下の方（足の方）を金具４でくわえて、マットレスの両脇で周回運動をするチェーン５のけん引力で上掛け毛布などをマットレスの下部に設けたスペース７に収納し、再び使用するときはチェーン５を再駆動してマットレスの元の位置に上掛け毛布などを移動すれば上掛け毛布などを使用できる状態になるものである。【選択図】図２
2013132549.tif 000002
【特許請求の範囲】
【請求項１】
上掛け毛布などをマットレスの下部に設けたスペースに引き込むように出し入れできることを特徴としたベッド。
【発明の詳細な説明】
【技術分野】
【０００１】本発明は、ベッドの上掛け毛布などを使用していないときはマットレスの下部に設けたスペースに収容したり、又元に戻して使用できるようにするために、エンドレスで運動するチェーンまたはベルトのけん引力で移動させて、上掛け毛布などがマットレスの真下に来たときは収納状態、そこからチェーンを再駆動させればマットレスの上に上掛け毛布などが現れて使用できる元の状態になるものである。
【背景技術】
【０００２】従来は上掛け毛布などをマットレスの下部に設けたスペースに引き込むように出し入れできるベッドはなかった。
【先行技術文献】
【特許文献】
【０００３】
【発明の概要】
【発明が解決しようとする課題】
【０００４】上掛けの毛布や布団は使用していないときは片づけておくのが体裁的にも衛生的にも好ましいと思われるが、嵩張ることもあって押し入れなどへ仕舞うのが大変であった。
本発明は、この課題を解消するためになされたものである。
【課題を解決するための手段】
【０００５】マットレスの下部に設けたスペースへ上掛け毛布などを下の方（足の方）から引っ張り込むようにして収納するもので、上掛け毛布などがマットレスの真下にきた時に収納状態となり、上掛け毛布などを再び使用するときは移動させる一方向の動作を再度行えば、マットレスの上の方（頭の方）から上掛け毛布などが出てくるので、使用できる元の位置に戻すことができるものである。
上掛け毛布などを巻き取る動力は電動でも手動でも選択することができる。
【発明の効果】
【０００６】本発明によって、ベッドの上掛け毛布や布団を押し入れなどに入れることなく簡単に収納することができて、部屋の美観を手軽に実現することばかりでなく、マットレスの下部に設けたスペースに収納しているときに殺菌灯などを照射すれば上掛け毛布や布団などを清潔に保管することができるようになった。
【図面の簡単な説明】
【０００７】
【図１】  本発明に関わるベッドの斜面図である。
【図２】  本発明に関わるベッドの横方向の断面図である。
【図３】  本発明に関わるベッドの縦方向の断面図である。
【発明を実施するための形態】
【０００８】以下、本発明の実施の形態について説明する。
ベッドのマットレスの下部にスペースを設けて置き、上掛け毛布などの下の方（        足の方）をチェーンに結合している金具でくわえて、それをマットレスの両脇で        周回するチェーンでけん引することによって、上掛け毛布などをマットレスの下        部に引き込んだり、また元の位置に戻したりして上掛け毛布などを出し入れでき        るようにする。
【符号の説明】
【０００９】１  ベッド本体
２  マットレス
３  上掛け毛布
４  上掛け毛布をつかんでチェーンと一緒に移動する金具
５  チェーン
６  チェーンの駆動歯車
７  上掛け毛布が通るスペース
【図１】
2013132549.tif 000003
【図２】
2013132549.tif 000004
【図３】
2013132549.tif 000005
(57)【要約】【課題】  従来、口腔内を手鏡に映してみる時には暗いために奥の方までみるのが難しかった。光が手鏡に遮られない様に斜めの方向から当てても、口腔の奥にはまっすぐ届かないためにやはり暗がりになってしまっていた。本発明によって容易に深部まで照らせるようになった。【解決方法】  フレネルレンズを鏡面の周囲につけて集光屈折するようにした。これにより光が鏡面に遮られずに鏡面によって陰になっていた部位を簡単に照明することができる。【選択図】図３
2013132544.tif 000002
【特許請求の範囲】
【請求項１】
フレネルレンズを鏡面の周囲につけて集光屈折により照明する手鏡。
【発明の詳細な説明】
【技術分野】
【０００１】  本発明は、フレネルレンズの集光により、暗がりになりがちな部位を照明することができる手鏡に関するものである。
【背景技術】
【０００２】  従来、口腔内を手鏡に映してみる時には暗いために奥の方までみるのが難しかった。光が手鏡に遮られない様に斜めの方向から当てても、口腔の奥にはまっすぐ届かないためにやはり暗がりになってしまっていた。
【先行技術文献】
【特許文献】
【０００３】
【発明の概要】
【発明が解決しようとする課題】
【０００４】  解決しようとする問題点は、口腔内を正面から照明して明視するする簡易な方法がなく、暗がりになって見難いために困っていた。本発明は、以上の問題点を解決するためになされたものである。
【課題を解決するための手段】
【０００５】  本発明は、フレネルレンズを透明プラスチック製の枠の手鏡の裏面に着けて、鏡面の周囲に当たる光を屈折集光させて口腔、顔面を照明する。
【発明の効果】
【０００６】  本発明により照明の光が鏡に遮られることなく対象を照らすことができるようになり、口腔内の深部が視認しやすくなる。また、肌や目などを鏡を近づけて見るときにも、陰にならずにみることができる。集光するので特別な照明装置がなくても明るく見ることができる。
【図面の簡単な説明】
【０００７】
【図１】図１は本発明の図。
【図２】図２は本発明の図。
【図３】図３は本発明の断面図。
【発明を実施するための形態】
【０００８】  手鏡の枠の部分は透明プラスチックでできていて、鏡面の周囲がフレネルレンズの構造になっている。裏面を照明器具または、外光の方に向けて口腔、顔面の皮膚などを手鏡に映して見る。手鏡の背面に当たった光は鏡の周囲のフレネルレンズ部によって屈折集光される。鏡によって本来は陰になるはずの部位に光線が届く。照らされる部位が鏡の中心を通る軸と一致するので口腔の深部も明るくなる。
【符号の説明】
【０００９】１  鏡面    ２  フレネルレンズ部    ３  透明プラスチック製枠部
【図１】
2013132544.tif 000003
【図２】
2013132544.tif 000004
【図３】
2013132544.tif 000005
(57)【要約】【課題】食パンをトースターで焼くよりも短時間で電子レンジを用いて一度に２枚以上加熱調理する。その際にラップ不要で、皿などに粘着することなく、またクラムが水分でべとつかないように簡単に調理する方法。【解決手段】クラストの中央付近に切れ目をいれた食パンを２つ折りにし、「へ」の字にして屋根を作るように皿の上に載せる。それをそのまま電子レンジで加熱料理する。食パン２枚であれば、１０００Wの電子レンジで１分前後で調理できる。【選択図】図３
2013132214.tif 000002
【特許請求の範囲】
【請求項１】
食パンを２つ折りにし、屋根を作るように「へ」の字にして皿などの上に載せ、それをそのまま電子レンジで加熱料理するということ。
【請求項２】
食パンを２つ折りにしやすくするためにクラストの中央付近に切れ目をいれるということ。
【発明の詳細な説明】
【技術分野】
【０００１】
本発明は、食パンを２つ折りにして電子レンジで調理することで蒸したようなモチモチとした食感で食することができることに関するものである。
【背景技術】
【０００２】
従来の食パンの調理の仕方、食べ方としては、トースターで５〜１０分かけてその表面を焦がして食べるトーストが主である。
【０００３】
しかし、目覚めてから出勤・登校までの忙しい朝の時間帯においてはより短時間に調理できることが望ましい。食パンであれば、そのまま、焼かずに食することも可能だが、パサパサして味気なく、食パンを購入後、長期保存のために冷蔵庫に保管していた場合など、そのまま食するには冷たく固いため、あまりおいしくない。
【先行技術文献】
【特許文献】
【０００４】
【特許文献１】特許公開２０１０−２１３９４５
【非特許文献】
【０００５】
【非特許文献１】特に存じ上げておりません。
【発明の概要】
【発明が解決しようとする課題】
【０００６】
従来のトーストでは時間が若干かかりる（５分〜１０分）。また、一方で焼くのではなく、電子レンジで食パンを皿などにそのまま平坦に載せて加熱調理すると、比較的短時間（１分以内）に蒸したようなパンになるが、食パンのクラム（白いところ）が皿などに密着した場合などそのまま一部粘着してしまうか、蒸されて出た水分が皿の方に凝結してクラム全体がベトついてしまう。また、平坦に食パンを皿などに載せるため、一度には１枚しか調理できない。そこで本発明は、電子レンジを用いながらもクラムが皿などにくっつかず、蒸したような食感のパンに短時間（１分前後）に２枚以上調理することができるようにすることを課題とする。
【課題を解決するための手段】
【０００７】
本発明は、食パンのクラスト（外皮、パンの耳）に切れ目を入れることでスライスした食パンが２つ折りしやすくなり、食パンを「へ」の字（Vの字の逆）にして皿などの上に立てて電子レンジに入れて加熱する。クラストの部分が皿に接地しているので、粘り着くこともない。また、食パン内部から発生する水蒸気も、皿と２つ折りの食パンが作る三角形の中で蒸散するので、食パンが過度に蒸れてベトベトになることはない。
【０００８】
なお、食パンの切れ目はクラストだけでなく、一部クラムまで差し込んでいても差し支えない。
【０００９】
また、切れ目については、クラストの１辺に中央付近に切れ目を１つだけ入れてもよいし、対辺同士のクラストの中央付近にそれぞれ切れ目を入れても構わない。
【発明の効果】
【００１０】
本発明は、電子レンジの加熱機能で食パン自身が持つ水分で蒸したようなもちもちとした食感を味わうことができる。その際、食パンを２つ折りしてテントのように立てることで蒸し器などのような専用の食器類は必要がなく、また、ラップで包む必要もなく調理できる。更に、２つ折りのため、一度に２枚分調理することができる。なお、調理時間については、食パン１〜２枚であれば、１０００Wの電子レンジで５０秒くらいの短時間に調理できる（図４参照）
【図面の簡単な説明】
【００１１】
【図１】図１は切れ目の入った、スライスした食パンの正面図である。
【図２】図２は切れ目の入った、スライスした食パンの側面図である。
【図３】図３は２つ折りにした食パンを皿に載せた図である。
【図４】図４は２つ折りにした食パン２枚分を皿に載せた図である。
【発明を実施するための形態】
【００１２】
図３のように、対辺同士のクラストの中央付近に切れ目をいれた食パンを２つ折りにし、屋根を作るように皿の上に載せる。それをそのまま電子レンジで加熱料理する。
【実施例１】
【００１３】
食パン２枚であれば、１０００Wの電子レンジで５０秒くらいで調理できる。
【産業上の利用可能性】
【００１４】
本発明に係る食パンを「へ」の字に２つ折りにしやすくするために切れ目を入れることは、工業的に量産対応が可能であるため、産業上の利用可能性を有する。
【符号の説明】
【００１５】
１    スライスされた食パン
２    切れ目
３    スライスされた食パン
４    切れ目
５    ２つ折りにして立てた食パン
６    皿
７    ２つ折りにして立てた食パン
８    皿
【図１】
2013132214.tif 000003
【図２】
2013132214.tif 000004
【図３】
2013132214.tif 000005
【図４】
2013132214.tif 000006
(57)【要約】      （修正有）【課題】街路樹・ポール・石垣等の障害物での草刈りができて、又回転数が少ないので、小石の飛散が少ない。刈り取った草等の回収も同時にできるスパイラル草刈り機を提供する。【解決手段】電気モータ或いは石油エンジンを介して原動軸７を回転させ、それに固着の歯車４に伝達し、回転筒３に固着の歯車５で伝達し、スパイラル巻きした回転刃１を回転させる。無回転刃２は回転刃１とは反対スパイラル巻きしたもので、回転刃１を通してケイシング６に固着させて、回転刃１と無回転刃２の刃がハサミ状に形成され草等を刈り取る。刈り取られた草等は回転刃１から回転筒３を通り回収取口Ｗより回収口８接続の吸引ブロワーに吸引して回収する。【選択図】図１
2013132292.tif 000002
【特許請求の範囲】
【請求項１】
片刃又は両刃の台形又は三角に形状した，刃物線材の刃部を内側にしてスパイラル状に巻きつけて、無回転刃を設置した。
無回転刃の内径に沿うように、上記同形状で刃物線材を回転刃の刃部を外側にしてスパイラル状に無回転刃と反対回転に巻きつけて、内側に回転刃を設けて回転して常に個々の無回転刃と回転刃がハサミ状に形成するよう設置した、草等を刈り又は茶葉摘み等をする、スパイラル草刈り機。
【請求項２】
刈り取れた茶葉又は草を回収口方向にスパイラル回転刃が回転し、ブロワーで回収出来るように設置した、スパイラル草刈り機。
【発明の詳細な説明】
【技術分野】
【０００１】  本発明は、茶摘み・草刈り機に適した機械に関するものである。
【背景技術】
【０００２】  従来、茶摘み・草刈り機はバリカン式又は、丸鋸を電気モータ又はガソリンエンジンで回転して行うのが一般的である。【０００３】  茶摘み、庭木の手入れなどはバリカン式で作業している。【０００４】  ナイロンコードを高速回転して草を刈る方法は堅い障害物がある所では、柔らかい草しか有効に活用されない。
【先行技術文献】
【特許文献】
【０００５】
【特許文献】  特開  ２００１−３４１９５１
【特許文献】  特開  ２００７−２４４３３１
【特許文献】  特開  ２００３−１３０８３０
【特許文献】  特開  ２００１−２４４３３１
【特許文献】  特開  ２００６−６２０８
【特許文献】  特開  ２０１０−１４８４０３
【発明の概要】
【発明が解決しようとする課題】
【０００６】  従来機の草刈り機では、ポール・街路樹・石垣など周囲は危険で草刈り作業できない又、石垣・石畳み等の隙間に生えている草は草刈り機械では困難であった。【０００７】  刈り終えた草は別途回収しなければいけない、茶摘み機で大型の機械はバリカン式の回収装置は提案されている。
【課題を解決するための手段】
【０００８】  上記目的を達成するため、本発明はこのような問題を解決するためになされたもので、片刃又は両刃の三角或いは台形状した，刃物線材の刃部を内側にしてスパイラル状に巻きつけて、無回転刃を設置した。無回転刃の内径に沿うように、刃物線材を回転刃の刃部を外側にしてスパイラル状に無回転刃と反対回転に巻きつけて、内側に回転刃を設置した。
刃物線材の巻き付けは石垣・ポール・街路樹等に最適な間隔でスパイラル状に巻いて、外側の無回転刃と内側回転刃を回転さすことで無回転刃と反対に巻いた回転刃が、ハサミ状を形成し草等を刈り取ることができる。
回転刃の回転を草等回収する方向に回転さすことで、回収口に搬送し、ブロワーで草等を吸引回収する。
【発明の効果】
【０００９】  本装置の発明は、無回転刃の巻き間隔を最適な間隔にすることで、ポール・街路樹の損傷を防いで草刈り作業ができる、ハサミ状で刈ることで回転数を少なくし、小石等の飛散事故をなくす事が出来る。
【図面の簡単な説明】
【００１０】
【図１】  本発明に係る草刈り機の実施形態の断面図。
【図２】  本発明に係る草刈り機の刃物線材をスパイラル左巻き状無回転刃２刃部図である。
【図３】  本発明に係る草刈り機の刃物線材をスパイラル右巻き状回転刃１刃部図である。
【発明を実施するための形態】
【００１１】  本発明の実施形態について図面を参照して説明する。図３の１は刃物線材をスパイラル右巻き回転刃１の刃部で、図１の駆動部の回転筒３に固着させて右回転させる。
図２の２は刃物線材を左巻スパイラルの無回転刃２を、図３の１を通して図１のケイシング６に固着させる。
電気モータ或いは石油エンジン図示せず、介して左回りに回転軸７を回転させ、それに固着の歯車４に伝達して、回転筒３に固着の歯車５に伝達し、回転刃１を右回転させる。無回転刃２と回転刃１がハサミ状に形成され草等を切断する。
【００１２】  ケイシング６に回収口８を固着して、これに回収取口Ｗより吸引ブロワー図示せず、介して刈り取った草等を回収する。
【符号の説明】１  回転刃１
２  無回転刃２
３  回転筒３
４  歯車４
５  歯車５
６  ケイシング６
７  原動軸７
８  回収口８
９  回収取口Ｗ
【図１】
2013132292.tif 000003
【図２】
2013132292.tif 000004
【図３】
2013132292.tif 000005
(57)【要約】      （修正有）【課題】梅干製造工場から発生する回収塩、回収漬け汁を再利用した梅干、その梅干を使用した菓子類、調味料の製造方法を提供する。【解決手段】梅干製造工場から回収した一定量の塩化マグネシウムを添加し、梅干を製造する。また、梅酒製造工場で発生し廃棄物処理される梅からアルコール分を除去し、それに梅干製造工場から発生する濃縮された回収漬け汁を添加して梅干を製造する。製造された梅干を使用し、菓子類、調味料を製造する。【選択図】なし【特許請求の範囲】
【請求項１】
梅干製造工場から発生する回収塩の再利用の為一定量の塩化マグネシウムを添加し梅干製造工程に再利用する
【請求項２】
梅干製造工場から発生する濃縮された回収漬け汁の再利用先として梅酒製造工場で発生し廃棄物処理される梅からアルコール分を除去しそれに回収漬け汁を添加して梅干を製造する
【請求項３】
請求項２で記された梅干の種を除去し果肉に砂糖などを加えた菓子類の製造
【請求項４】
請求項３で発生する種に濃縮された請求項２の回収梅漬け汁を適量加え攪拌処理して付着した果肉を取り出し粉末加工の上調味料として再利用する
【発明の詳細な説明】
【技術分野】
【０００１】本発明は産業廃棄物の有効利用に関する技術
【背景技術】
【０００２】梅干工場並びに梅酒製造工場から製造残渣として排出されるもの殆ど全てが廃棄物として処理されている
【発明の概要】
【発明が解決しようとする課題】
【０００３】製造廃棄物の有効利用並びに再資源化
【問題を解決する為の手段】
【０００４】梅干漬け汁を真空晶析法で低温処理し塩を分離回収、この塩に塩化マグネシウムを一定量添加して梅干製造工程に再利用する
【０００５】梅酒製造工場から発生するアルコールを含む梅を乾燥し上記の濃縮された梅漬け汁に浸漬、乾燥して梅干として再利用する
【０００６】上記の乾燥前の梅から種の部分を取り除き砂糖などを使ったミネラルを含む菓子類として再利用する
【０００７】上記から出る種表面に付着した成分を回収梅漬け汁に混合し攪拌処理をして抽出、スプレードライヤーなどで乾燥処理、食品添加物や粉末栄養剤として再利用する
【０００８】上記の種を粉砕し炭化処理した上吸着剤や土壌改良剤として再利用する
【発明の効果】
【０００９】現在、梅干工場と梅酒製造工場から排出される廃棄物の減少化と有効資源としての活用
【発明を実施する為の形態】
【００１０】梅干製造工場に真空晶析装置を設置し塩の回収を行い再利用する、副産物として発生する濃縮された梅漬け汁を梅酒製造工場に持ち込み梅干の製造をする
【実施例】
【００１１】小規模工場における真空晶析法による塩回収と梅漬け汁の濃縮
梅酒製造から出た梅を乾燥し上記梅漬け汁に浸漬し梅干を製造した
【産業上の利用可能性】
【００１２】梅干製造工場と梅酒製造工場の設備設置により、産業廃棄物の減少並びに新製品への応用
(57)【要約】【課題】  コーヒーかすの実用的な再利用方法の提供を目的とする。  また、燃料として利用できるコーヒーかす燃料の提供を目的とする。【解決手段】コーヒーかすを過熱蒸気にて乾燥処理することを特徴とするコーヒーかすの再利用方法。【選択図】 なし【特許請求の範囲】
【請求項１】
コーヒーかすを過熱蒸気にて乾燥処理することを特徴とするコーヒーかすの再利用方法。
【請求項２】
コーヒーかすを過熱蒸気で乾燥処理して得られたことを特徴とする燃料。
【請求項３】
含水率２０％以下に乾燥処理したことを特徴とする請求項２記載の燃料。
【発明の詳細な説明】
【技術分野】
【０００１】
本発明はコーヒーかすの有効利用方法に関する。
【背景技術】
【０００２】
コーヒー飲料は焙煎したコーヒー豆からお湯等にて成分を抽出した飲み物である。
コーヒーは世界中で飲まれており、我が国においてはコーヒー豆が４０〜５０万トン／年使用され、その結果、数十万トン／年のコーヒーかすが発生している。
焙煎したコーヒー豆の表面は多孔質状になっていて、また油分も含まれている。
そこで発生したコーヒーかすを乾燥させて、その表面積が広いことによる吸着性を利用し、消臭剤として利用したり、油分を利用してみがき剤や針差しに再利用することが一部に提案されているが、その利用量は非常に少なく限定的であり、発生したコーヒーかすのうち家庭で発生したものは生ゴミとして処分され、コーヒー飲料の製造メーカーで発生したものは廃棄物として焼却処分されている。
コーヒーかすは成分を抽出するのにお湯等を用いるため、通常６５％以上の水分を含有し、残りの部分のほとんどが炭素で水分を除いた固形分に対して１〜２％の窒素、０．２〜０．５％のリン酸及び０．２〜０．５％のカリウムが含まれている。
このようにコーヒーのかすは炭素分が多くても含水率が高く、そのままでは燃料にすることができない。
【０００３】
特許文献１は、コーヒーかすを水分率が３％以下になるように乾燥又は炭化した後に樹脂に混合し、成形品を得る技術を開示する。
特許文献２は、コーヒーかすを炭化し、卵殻と混合し、通気性、吸水性、消臭性を利用した家畜舎用床敷材に用いる技術を開示する。
特許技術３は、コーヒーかすを土壌改良材に利用し、特許文献４は食用きのこの栽培用の培地に利用する技術を開示する。
しかし、これらの再利用方法はその量が限定的であり、いずれの場合も発生したコーヒーかすのままでは含水率が６５％以上と高く、しかもコーヒーかすは、焙煎によりハニカム構造の多孔性になっているために乾燥がしにくく、乾燥や炭化処理に大きなエネルギーを要し、実用的ではなかった。
【先行技術文献】
【特許文献】
【０００４】
【特許文献１】特開２０１０−１７３１６９号公報
【特許文献２】特開２００９−２８４９１１号公報
【特許文献３】特開２００８−２８５５７２号公報
【特許文献４】特開２００５−２０４６６９号公報
【発明の概要】
【発明が解決しようとする課題】
【０００５】
本発明は、コーヒーかすの実用的な再利用方法の提供を目的とする。
また、燃料として利用できるコーヒーかす燃料の提供を目的とする。
【課題を解決するための手段】
【０００６】
本発明に係るコーヒーかすの再利用方法は、過熱蒸気にて乾燥処理することを特徴とする。
過熱蒸気は、水を沸騰させて発生したスチームを加熱ヒーターに接触させることで２００℃以上に高温にした乾燥状態の蒸気をいい、大気圧の常圧で使用してもよく、加圧して使用してもよい。
過熱蒸気は浸透性が高く、乾燥した蒸気であり、コーヒーかすのように多孔性の物質に対して内部の浸透性に優れ、少ないエネルギーにて容易に乾燥できることが本発明者らの実験で明らかになった。
また、コーヒーかすは油分も多く含まれ、還元性の過熱蒸気を用いることで酸化分解することなく乾燥できる。
従って、過熱蒸気の温度は２００℃以上であって、５００℃以下がよく、好ましくは２００〜４００℃の範囲である。
【０００７】
含水率６５％以上もあるコーヒーかすに対して過熱蒸気を接触させることにより、容易に乾燥が進行し、コーヒーかすの多孔性を利用した消臭剤や油分含有の性質を利用したみがき剤としての利用ができる。
また、過熱蒸気を用いると含水率２０％以下、好ましくは１０％以下にまで容易に乾燥できるので燃焼用の燃料としても利用できる。
このようなコーヒーかす燃料は発熱量が７，０００〜９，０００ｋｃａｌ／ｋｇもあり、優れた燃料になる。
特に浅炒りのコーヒー豆を用いたコーヒーかすは、油分が多く残っているので発熱量が多い。
また、コーヒー飲料を抽出するコーヒー豆の焙煎に過熱蒸気を用いて、２００〜５００℃の過熱蒸気焙煎を行うと焙煎の段階でも酸化を抑えるので、さらに燃焼発熱量が多くなる。
【発明の効果】
【０００８】
本発明は、コーヒーかすの乾燥に過熱蒸気を用いたので、その浸透性が高く、還元性を有するので従来の一般的な乾燥方法よりも少ない消費エネルギーとなり、コーヒーかすを実用的に利用できるようになる。
【発明を実施するための形態】
【０００９】
次に、コーヒーかすを用いて実験評価したので以下説明する。
焙煎したコーヒー豆を用いてコーヒーを抽出した残渣であるコーヒーかすを約１ｋｇ準備した。
このコーヒーかすをステンレスの容器に入れ、コンベアの上にトンネル型の過熱蒸気発生室を設けた連続過熱蒸気処理装置に投入した。
なお、バッチ式の過熱蒸気処理装置にあってもよい。
過熱蒸気の温度は２５０〜３００℃に設定したコンベア速度を調整し、１ｋｇのコーヒーかすに過熱蒸気が３〜５分間接触するようにした。
コンベアの搬出口から出てきたコーヒーかすの重量は約３９０〜４００ｇに減量していた。
なお、含水率は減量後の乾燥コーヒーかすに対して約１０〜１２％程度であった。
また、再度、上記の過熱蒸気処理装置に投入すると含水率が約３〜５％まで乾燥した。
このようにして得られた乾燥コーヒーかすを燃焼させ発生量を計測したところ、約７，０００ｋｃａｌ／ｋｇであった。
このことから、コーヒーかすを過熱蒸気処理した乾燥コーヒーかすは燃料として利用できることが確認できた。
また、過熱蒸気約３５０℃で焙煎したコーヒー豆のコーヒーかすを上記のように乾燥させた結果、発熱量は約７，５００ｋｃａｌ／ｋｇあった。
(57)【要約】      （修正有）【課題】砲弾の飛翔姿勢を安定させ、着弾の正確性を増大し、砲弾の形状で飛距離を飛躍的に延ばす改良形砲弾を提供する。【解決手段】従来の砲弾より細く、長くして、本体の断面積を小さくし、砲弾の外側にライフル線５を刻み、砲弾の底面を円錐形とする。射出力を高めるため、底面に凹みを付けた射出用キャップ３をセットする。【選択図】図２
2013234831.tif 000002
【特許請求の範囲】
【請求項１】
砲弾本体にライフル線を刻んだ砲弾
【請求項２】
砲弾の底面抵抗（負圧）が減少するよう考えた、底面が流線形状を有する砲弾
【請求項３】
砲身にセットされた砲弾の発射時の射出力を最大限引き出す為、砲弾底面にキャップを付けた砲弾
【発明の詳細な説明】
【技術分野】
【０００１】この発明はライフル（腔線）が刻まれた施線砲身に使用する砲弾で、飛距離を飛躍的に延ばし、着弾の正確性を目標とする改良した砲弾。
【背景技術】
【０００２】従来の砲弾は、発射の後砲弾の先端部に発生した衝撃波で砲弾表面に摩擦抵抗を発生させ、スピン速度を低下させ、弾底面においては急激な圧力低下が生じて砲弾を後方へ引っ張る負の圧力となり、飛距離を妨げる要因となっている。
【発明の開示】
【発明が解決しようとする課題】
【０００３】砲弾表面の空気抵抗（摩擦抵抗）をできるだけ低下させ、砲底面の負圧（底面抵抗）を低減するよう砲弾の形状を改良する。
【課題を解決するための手段】
【０００４】砲弾本体にライフル線を刻み、飛翔姿勢を安定させ、スピンを増大させる。砲底面を底面抵抗が減少するよう流線型（円錐形）とする。流線形状の底面に射出力を高めるためのキャップを取り付ける。
【発明の効果】
【０００５】砲弾本体のライフル線は飛翔中に発生する摩擦抵抗をスピン増大の力に転換させ、砲弾底面の流線形状で底面抵抗を減少させる。
飛距離を延ばすため、十分に燃焼ガスが弾底面に作用するよう凹みを付けたキャップを取り付け、発射時の射出力を増大させる。
【発明を実施するための最良の状態】
【０００６】砲弾本体は横に切った断面積が小さいほど飛距離が延びる。よって砲弾は細く長くした形状にし、砲弾の外側にライフル線を刻み込む。このライフル線が砲弾表面に発生する摩擦抵抗を回転力に変え、砲弾の姿勢を保ち、着弾の正確性を増す。
砲底面を底面抵抗が減少するよう流線形状（円錐形）とする。その円錐底面の燃焼射出力を最大限に高めるため、外側底面に凹みを付けたキャップを取り付ける。
キャップは砲身から射出された直後、回転空圧で外れるようにする。
【図面の簡単な説明】
【０００７】
【図１】  従来の砲弾の形状
【図２】  本発明の砲弾の形状
【図３】  本発明砲弾の縦断面図（Ａ−Ａ’）
【図４】  本発明砲弾の横断面図（Ｂ−Ｂ’）
【符号の説明】
【０００８】▲１▼    従来の砲弾の底面図
▲２▼    本発明砲弾の底面図
▲３▼    本発明砲弾の射出用キャップ
▲３▼’  本発明砲弾の射出用キャップ断面
▲４▼    本発明砲弾の射出用キャップ底面
▲５▼    本発明砲弾の本体ライフル線刻み姿図
▲５▼’  本発明砲弾の横断面ライフル線刻み
【図１】
2013234831.tif 000003
【図２】
2013234831.tif 000004
【図３】
2013234831.tif 000005
【図４】
2013234831.tif 000006